(57)【要約】【課題】  この考案は、高所での被覆電線の接合を簡単にし、しかも、その接合作業も簡易、迅速に行え、しかも、電流効果にすぐれた被覆電線の接合構造を開発・提供することにある。【解決手段】  被覆電線の接合部において、適宜の長さ露出した銅線（Ａ）と銅線（Ａ′）との端部を、それぞれ銅管スリーブ（２）を挿入し、銅管スリーブ（２）とそれぞれ銅線（Ａ）と銅線（Ａ′）を密着するようカシメ固定し、これらの接合部を、絶縁体素材から構成されたスリーブジョイントコネクター本体（１）で被覆し、それぞれスリーブジョイントコネクター本体（１）の長軸方向に沿って、２個以上のネジ（３）で銅管スリーブ（２）を介して銅線（Ａ，Ａ′）を締め付け固定し、かつ、これらをポリカーボネート等の絶縁体素材からなる被覆体（４）で被覆することを特徴とする被覆電線の接合構造である。【選択図】        図１
0003116115.tif 000002
【実用新案登録請求の範囲】
【請求項１】
被覆電線の接合部において、適宜の長さ露出した銅線（Ａ）と銅線（Ａ′）との端部に、それぞれ銅線の径に適合する銅管スリーブ（２）を挿入し、銅管スリーブ（２）とそれぞれ銅線（Ａ）と銅線（Ａ′）を密着するようカシメ固定し、これらの接合部を、スリーブジョイントコネクター本体（１）で被覆し、それぞれ本体（１）の長軸方向に沿って、１個又は２個以上のネジ（３）で銅管スリーブ（２）を介して銅線（Ａ，Ａ′）を締め付け固定し、かつ、これらを絶縁体素材からなる被覆体（４）で被覆することを特徴とする被覆電線の接合構造。
【請求項２】
スリーブジョイントコネクター本体（１）の断面形状が、円形または多角形の略筒体であることを特徴とする請求項１記載の被覆電線の接合構造。
【請求項３】
スリーブジョイントコネクター本体（１）の内壁面に、防滑手段を設けたことを特徴とする請求項２または請求項３記載の被覆電線の接合構造。
【考案の詳細な説明】
【技術分野】
【０００１】
この考案は、被覆電線の接合構造に関するものである。
【背景技術】
【０００２】
従来、被覆電線の接合に際しては、その作業が大変煩雑であった。
【０００３】
即ち、それぞれの電線端部より一定の幅寸法の被覆部を取り除き、露出した銅線どうしを、厚型のスリーブを用い、しかも、油圧工具等を用いて圧着するものであり、しかも、この作業は、平地とは限らず、足場の悪い高所での作業も行っており、作業員によるこの接合作業は大変煩雑なものであった。
【０００４】
また、通常、電線の接合部に設けるコネクターは、大抵は、プラグ形式となっており、両方のケーブルを嵌着するよう構成されている。例えば、特許文献１のように。
【特許文献１】特開２００２−３７３７２９号公報
【０００５】
しかし、本願のコネクターは銅線の接合部を被覆し、着脱不能に固定するものであり、しかも、従来のこの着脱不能に固定するコネクターは、大型のものであったり、不細工であり、該接合部には熱を持ち、また、電流の流れもロスとなっていた。
【考案の開示】
【考案が解決しようとする課題】
【０００６】
そこで、この考案は、被覆電線の接合作業は、平地でも、高所においてでも作業でありながら、簡単、かつ、迅速に行え、しかも、電流効果にすぐれた被覆電線の接合構造を開発・提供することにある。
【課題を解決するための手段】
【０００７】
この考案は、被覆電線のそれぞれ端部の、それぞれ露出した銅線に銅管スリーブを嵌挿して圧縮器でカシメて、それらの外周面をスリーブジョイントコネクターで一体に覆い、ビス止めし、その外周を絶縁体素材からなる被覆体で覆うことを特徴とする被覆電線の接合構造である。
【考案の効果】
【０００８】
この考案によると、接合する銅線（Ａ）（Ａ′）の端部に、その太さに適合する銅管スリーブ（２）を嵌挿して、カシメて固定し、これらカシメた銅線（Ａ）（Ａ′）同士を接合しており、銅線の外周に銅管スリーブが嵌挿しており、表皮効果に優れており、表面積を増やす結果、電流容量にすぐれており電流効果もよい。
【０００９】
それにより、接合部分で余分な電流のロスが少なく、また、熱も有さず、電流効果も極めてよいものである。
【００１０】
また、銅線（Ａ）（Ａ′）は、コネクター本体（１）外部より銅管スリーブ（２）を介して、スリーブジョイントコネクターの外周の片側のみにビスで止められているため、銅線を引き抜こうという力が働いても、導管スリーブは傾くだけであり、この傾きによる摩擦のため、抜け難いという効果を奏するものである。
【考案を実施するための最良の形態】
【００１１】
この考案は、被覆電線のそれぞれ端部の、露出した銅線に銅管スリーブを嵌挿してカシメてその上部よりスリーブジョイントコネクター本体で覆い、ビス止めし、その外周を絶縁体素材からなる被覆体で覆うことを特徴とする被覆電線の接合構造である。
【実施例】
【００１２】
次に、この考案の一実施例を図面に従って詳述すると、被覆電線の接合部において、適宜の長さ露出した銅線（Ａ）と銅線（Ａ′）との端部を、それぞれ銅管スリーブ（２）を挿入し、銅管スリーブ（２）とそれぞれ銅線（Ａ）と銅線（Ａ′）を密着するようカシメ固定し、これらの接合部を、絶縁体素材から構成されたスリーブジョイントコネクター本体（１）で被覆し、それぞれスリーブジョイントコネクター本体（１）の長軸方向に沿って、２個以上のネジ（３）で銅管スリーブ（２）を介して銅線（Ａ，Ａ′）を締め付け固定し、かつ、これらをポリカーボネート等の絶縁体素材からなる被覆体（４）で被覆することを特徴とする被覆電線の接合構造から構成されるものである。
【００１３】
尚、図中のスリーブジョイントコネクター本体（１）に設けたピン（５）は、該本体（１）の中心部を定めるものであり、左右から挿入される，銅管スリーブ（２）にカシメられた銅線が、それぞれ中央より均一な長さ保持させるためのものである。
【００１４】
また、スリーブジョイントコネクター本体（１）の断面形状は、円形、六角形、八角形等の多角形の略筒状体であることが望ましく、かつ、スリーブジョイントコネクター本体（１）の内壁は、スパイラルな線を穿設したり、ザラザラに加工する等の防滑手段を施しておけば、スリーブジョイントコネクター本体（１）の内壁と銅管スリーブ（２）とが摩擦により、外れ難くなるよう構成したものである。
【００１５】
さらに、銅線（Ａ）、銅線（Ａ′）と銅管スリーブ（２）とをカシメるためには、軽量でコンパクトな圧縮器〔本願出願人の特願２００４−０１９１８６〕を使用することにより、図２に示すように、極めて簡単に、銅線（Ａ，Ａ′）の外周と銅管スリーブ（２）とは密になり、略隙間は生じないものである。
【００１６】
また、ネジ（３）は、その一例として頭部に六角穴を有するネジを図示しているが、他のネジであってもよいものである。
【産業上の利用可能性】
【００１７】
この考案に、必要な部品である銅管スリーブ、スリーブジョイントコネクター本体の製造技術を開発し、この銅管スリーブやコネクター本体を大量に製造・販売することにより、産業上の利用可能性を有する。
【図面の簡単な説明】
【００１８】
【図１】この考案の一実施例を示す一部欠截断面図である。
【図２】この考案の一実施例を示す銅線と銅線スリーブとの断面図である。
【図３】この考案の一の実施例を示すスリーブジョイントコネクター本体を装着した斜視図である。
【図４】この考案の一の実施例を示す斜視図である。
【符号の説明】
【００１９】
１  スリーブジョイントコネクター本体
２  銅管スリーブ
３  ネジ
４  被覆体
５  ピン
Ａ  銅線
Ａ′銅線
【図１】
0003116115.tif 000003
【図２】
0003116115.tif 000004
【図３】
0003116115.tif 000005
【図４】
0003116115.tif 000006